(57)【要約】【課題】簡単な操作で、多数の項目の中から所望の項目を短時間で検索できる項目検索方法を提供する。【解決手段】例えばハードディスクに記憶された多数の音楽データから所望の音楽データを検索する場合、ハードディスクに記憶されている音楽データのタイトル（曲名）の読みを五十音順にソートしたリストを作成する。検索の際には、ユーザは、表示装置に表示されたタイトルの読み仮名の先頭（１番目）の文字にカーソルをフォーカスさせ、この状態で十字キーを押してリストを五十音順の昇順あるいは降順に検索し、所望の音楽データのタイトルの読み仮名と先頭が同じ読み仮名のタイトルを選択する。次に、カーソルを２番目の文字にフォーカスさせて１番目と同様の検索を行う。この動作を繰り返すことによって音楽データのタイトルを検索する。【選択図】図４
2007250083.tif 000002
【特許請求の範囲】
【請求項１】
主として文字で構成された複数の項目が所定の第１の順序で配列されたリストに含まれる各項目の読みの先頭からの位置を指定し、この位置にある文字を所定の第２の順序に従って昇順または降順に選択することにより、前記リストに含まれる項目を検索する第１のステップと、
前記第１のステップで検索した項目を表示装置に表示する第２のステップと
を含むことを特徴とする項目検索方法。
【請求項２】
前記所定の第１の順序は、前記複数の項目の読みの順序であることを特徴とする請求項１に記載の項目検索方法。
【請求項３】
前記所定の第２の順序は、前記先頭から所定の位置にある文字の読みの順序であることを特徴とする請求項１または２に記載の項目検索方法。
【請求項４】
前記所定の第２の順序は、文字の読みを複数のグループに分けた場合の、前記先頭から所定の位置にある文字の読みが含まれるグループの順序であることを特徴とする請求項１または２に記載の項目検索方法。
【請求項５】
前記項目は、楽曲のタイトル、アーティスト名、アルバム名およびジャンル名のうちのいずれか１つであることを特徴とする請求項３または４に記載の項目検索方法。
【請求項６】
前記表示装置に前記項目の読みを表示することを特徴とする請求項１〜５のいずれかに記載の項目検索方法。
【請求項７】
前記表示装置に、表示された読みの１文字をフォーカスするカーソルを表示することを特徴とする請求項１〜５のいずれかに記載の項目検索方法。
【請求項８】
前記表示装置に、前記項目と前記項目の読みを一定時間経過ごとに交互に表示することを特徴とする請求項１〜５のいずれかに記載の項目検索方法。
【請求項９】
前記表示装置に、前記項目と前記項目の読みを、前記入力装置から入力されたユーザの指示に従い交互に表示することを特徴とする請求項１〜５のいずれかに記載の項目検索方法。
【請求項１０】
前記表示装置に、カーソルあるいは状態表示の少なくともいずれかによって検索操作を実行中であることを表示することを特徴とする請求項１〜５のいずれかに記載の項目検索方法。
【請求項１１】
前記表示装置に表示されるカーソル位置を、文字の有無に関わらず変更しないことを特徴とする請求項１〜５のいずれかに記載の項目検索方法。
【請求項１２】
主として文字で構成された複数の項目が所定の第１の順序で配列されたリストに含まれる各項目の読みの先頭からの位置を指定し、この指定した位置にある文字を所定の第２の順序に従って昇順または降順に選択することにより、前記リストに含まれる項目を検索する制御部と、
前記制御部が前記リストから検索した項目を表示する表示装置と
を備えたことを特徴とする項目検索装置。
【請求項１３】
前記所定の第１の順序は、前記複数の項目の読みの順序である特徴とする請求項１２に記載の項目検索装置。
【請求項１４】
前記所定の第２の順序は、前記先頭から所定の位置にある文字の読みの順序であることを特徴とする請求項１２または１３に記載の項目検索装置。
【請求項１５】
前記所定の第２の順序は、文字の読みを複数のグループに分けた場合の、前記先頭から所定の位置にある文字の読みが含まれるグループの順序であることを特徴とする請求項１２または１３に記載の項目検索装置。
【請求項１６】
前記項目は、楽曲のタイトル、アーティスト名、アルバム名およびジャンル名のうちのいずれか１つであることを特徴とする請求項１４または１５に記載の項目検索装置。
【請求項１７】
入力装置を更に備え、前記入力装置は、前記制御部に対し、前記リストに含まれる各項目を昇順または降順に選択する昇順信号または降順信号を出力することを特徴とする請求項１２〜１６のいずれかに記載の項目検索装置。
【請求項１８】
前記表示装置に前記項目の読みを表示することを特徴とする請求項１２〜１６のいずれかに記載の項目検索装置。
【請求項１９】
前記表示装置に前記項目の読みの１文字をフォーカスするカーソルを表示することを特徴とする請求項１２〜１６のいずれかに記載の項目検索装置。
【発明の詳細な説明】
【技術分野】
【０００１】
本発明は、多数の項目のうちから所望の項目を検索する項目検索方法および、その方法を採用した項目検索装置に関し、特に、ハードディスクや内蔵メモリー、メモリーカード等の記憶装置に記憶された多数の楽曲の中から所望の楽曲を検索するのに有効な項目検索方法に関する。
【背景技術】
【０００２】
近年、ハードディスクや内蔵メモリー、メモリーカード等の記憶装置に記憶された楽曲（音楽データ）を再生するオーディオ装置が普及し始めている。これらの装置の中には、記憶装置の大容量化に伴って記憶する音楽データが数千曲を超えるものも現れている。
【０００３】
音楽データには、発売年、ジャンル、曲名、アルバム名およびアーティスト名等のデータが付加されており、ユーザは表示装置上に発売年、ジャンル、曲名、アルバム名またはアーティスト名でリスト表示された楽曲のうちから、リストをスクロールさせて所望の楽曲を検索することができる。
【０００４】
また、発売年、ジャンル、曲名、アルバム名またはアーティスト名等のリスト以外にも、例えば５０音やアルファベットなど先頭１文字でリストを作成し、先頭１文字をユーザが入力したとき、この先頭１文字が一致するリストを作成し、スクロールさせて検索するオーディオ装置もある。
【０００５】
このようなオーディオ装置では、ホイール状、スライドバー状、十字キーなどの入力装置を設け、ユーザがなぞったり、押下・長押下などの操作をすることで、リストを昇順あるいは降順でスクロール表示する（特許文献１参照）。
【０００６】
さらに、所望の楽曲を素早く検索できるように、ユーザが入力装置をなぞるスピードや押下時間、圧力に応じてスクロールスピードをコントロールし、検索にかかる時間を短縮するための処理がなされているオーディオ装置もある。
【特許文献１】特開平８−９６２９５号公報
【発明の開示】
【発明が解決しようとする課題】
【０００７】
しかしながら、上記従来の検索方法においては、同一ジャンルや同一頭文字に音楽データが偏ることで当該リストが大きくなり、所望の音楽データがリスト後方に配列された時には、スクロールさせながらリストを探す際に、検索時間が増える傾向にあった。またスクロール時の視認性を確保するために、数行程度の表示領域を確保する必要があるが、この表示領域確保がオーディオ装置小型化の課題でもあった。
【０００８】
本発明はかかる点に鑑み、狭い表示領域において、簡単な操作で、多数の項目のうちから所望の項目を短時間に検索できる項目検索方法および装置を提供することを目的とする。
【課題を解決するための手段】
【０００９】
上記目的を達成するため、本発明の項目検索方法は、
主として文字で構成された複数の項目が所定の第１の順序で配列されたリストに含まれる各項目の読みの先頭からの位置を指定し、この位置にある文字を所定の第２の順序に従って昇順または降順に選択することにより、前記リストに含まれる項目を検索する第１のステップと、
前記第１のステップで検索した項目を表示装置に表示する第２のステップと
を含むことを特徴とする。
【００１０】
本発明の項目検索方法において、前記所定の第１の順序は、前記複数の項目の読みの順序であることが好ましい。また前記所定の第２の順序は、前記先頭から所定の位置にある文字の読みの順序であることが好ましい。もしくは、前記所定の第２の順序は、文字の読みを複数のグループに分けた場合の、前記先頭から所定の位置にある文字の読みが含まれるグループの順序であることが好ましい。
【００１１】
また本発明の項目検索方法において、前記項目は、楽曲のタイトル、アーティスト名、アルバム名およびジャンル名のうちのいずれか１つであることが好ましい。同様に、前記表示装置に前記項目の読みを表示すること、もしくは、前記表示装置に、表示された読みの１文字をフォーカスするカーソルを表示することが好ましい。
【００１２】
また本発明の項目検索方法において、前記表示装置に、前記項目と前記項目の読みを一定時間経過ごとに交互に表示してもよい。もしくは、前記表示装置に、前記項目と前記項目の読みを、前記入力装置から入力されたユーザの指示に従い交互に表示してもよい。同様に、前記表示装置に、カーソルあるいは状態表示の少なくともいずれかによって検索操作を実行中であることを表示してもよい。なお、前記表示装置に表示されるカーソル位置を、文字の有無に関わらず変更しないことが好ましい。
【００１３】
次に、本発明の項目検索装置は、
主として文字で構成された複数の項目が所定の第１の順序で配列されたリストに含まれる各項目の読みの先頭からの位置を指定し、この指定した位置にある文字を所定の第２の順序に従って昇順または降順に選択することにより、前記リストに含まれる項目を検索する制御部と、
前記制御部が前記リストから検索した項目を表示する表示装置と
を備えたことを特徴とする。
【００１４】
また本発明の項目検査装置は、入力装置を更に備え、前記入力装置は、前記制御部に対し、前記リストに含まれる各項目を昇順または降順に選択する昇順信号または降順信号を出力することが好ましい。
【発明の効果】
【００１５】
本発明の項目検索方法では、例えば音楽データを所定の順番でソート（配列）してリスト化し、このリストを用いて音楽データを検索することで、簡易な操作で所望の音楽データを検索することができる。更に、検索文字列の入力と検索結果文字列の表示を同一の領域で行うことで表示領域を小さくできるため、オーディオ装置の小型化の課題も解決できる。
【発明を実施するための最良の形態】
【００１６】
以下、本発明の実施の形態について図面を参照して説明する。
【００１７】
（実施の形態１）
図１は、本発明の実施の形態１における項目検索装置の構成を示すブロック図である。なお、以下の説明では、図１の項目検索装置をオーディオ装置に組み込み、オーディオの楽曲を検索する場合を例として説明する。
【００１８】
項目検索装置は、記憶装置１０１、制御部１０２、表示装置１０３および入力装置１０４で構成されている。記憶装置１０１には多数の楽曲（音楽データ）がファイル形式で記憶されている。各音楽データのファイルには、発売年、ジャンル名、曲名、アルバム名、アーティスト名およびそれらの読み仮名等のデータが付加情報として付加されている。記憶装置１０１は、通常、項目検索装置に内蔵されているが、項目検索装置に着脱可能なメモリーカードを用いて構成してもよい。
【００１９】
制御部１０２は、記憶装置１０１から読み出された音楽データから付加情報を分離抽出してリストを作成する。図２に制御部１０２で作成したリストの一例を示す。リストの各項目は、音楽データのファイル名２０１、タイトル（曲名）２０２およびタイトルの読み仮名（ここではひらがな）２０３で構成されている。制御部１０２は、検索対象の候補としてタイトルが選択されると、記憶装置１０１に記憶された音楽データの付加情報からファイル名、タイトル、タイトルの読み仮名のデータを取得し、これを所定の順序でソートしたリストを作成する。図２のリストでは、タイトルの読み仮名２０３が五十音順でソートされている。
【００２０】
なお、付加情報は、音楽データとは別のファイルに記録されていてもよい。このとき制御部１０２は、付加情報と音楽データを対応付けて管理する。また、リストについては、制御部１０２で作成する場合以外にも、予めパソコンなどを用いてリストを作成し、このリストを音楽データと共にメモリーカードに記憶し、それを記憶装置１０１として項目検索装置に装着してもよい。
【００２１】
図３に、本実施の形態の項目検索装置における入力装置１０４と表示装置１０３の外観を示す。表示装置１０３は、項目検索装置に取り付けられた液晶パネル等のディスプレイデバイス３０１で構成される。ディスプレイデバイス３０１には、後述する項目検索において、制御部１０２の制御を受けて検索結果を表示する。
【００２２】
一方、入力装置１０４は、項目検索装置に取り付けられた十字キー３０３と中央のエンターキー３０４と検索キー３０５で構成される。検索キー３０５を押すことで制御部１０２に検索開始信号を出力する。制御部１０２は、この信号を受けて検索モードとなり、検索を開始する。検索モードは、検索キー３０５をもう一度押すことで解除される。
【００２３】
検索モードでは、ディスプレイデバイス３０１に図２のリストから読み仮名２０３が選択表示され、カーソル３０２がその１文字にフォーカスされる。検索モードでエンターキー３０４を押すと、十字キー３０３を操作することによって、カーソル３０２がフォーカスされた位置を変更することが可能となる。
【００２４】
エンターキー３０４を再度押すと、フォーカスされた文字の変更が不可となり、以降は、十字キー３０３を押すことで制御部１０２に入力信号を出力する。制御部１０２は、この入力信号を受け、後述する検索方法において所定の順序、例えば五十音順の昇順あるいは降順の検索処理を行う。本実施の形態では、読み仮名（ひらがな）２０３を五十音順に選択するものとし、十字キーの右キーおよび下キーは「あ」から「い」など昇順、十字キーの左キーおよび上キーは「い」から「あ」など降順に相当する処理を行う。
【００２５】
図４に、制御部１０２で行われる項目検索方法のフローチャートを示す。以下、図４のフローチャートに沿って、本実施の形態の項目検索方法を説明する。
【００２６】
ユーザが所望の曲名を検索する場合、検索キー３０５を押して検索モードになると、図５に示すように、ディスプレイデバイス３０１に検索対象とする候補が１つ表示される。この状態で十字キー３０３を操作することで、検索対象の候補５０１の中から希望する検索対象を選択する（ステップＳ４０１）。ここでは、検索対象としてタイトル（曲名）を選択する。
【００２７】
検索対象が選択されると、制御部１０２は、記憶装置１０１に記憶されている音楽データから付加情報を抽出してリストを作成する（Ｓ４０２）。検索対象としてタイトル（曲名）が選択されているため、制御部１０２は、記憶装置１０１から音楽データのファイル名、タイトルおよびタイトルの読み仮名を取得し、かつタイトルの読み仮名を五十音順でソートして、図２に示したリストを作成する。
【００２８】
リストの作成が完了すると、制御部１０２は、ディスプレイデバイス３０１にリストの最初の行の読み仮名を表示する（Ｓ４０３）。表示する項目は、現在再生中の音楽データの読み仮名でもよい。
【００２９】
次に、ユーザは十字キー３０３を操作してカーソル３０２を移動し（Ｓ４０４）、検索する文字を選択する（Ｓ４０５）。図６（Ａ）の上段に、リストの最初の行の読み仮名「ああじんせいになみだあり」が表示され、かつ検索する文字として先頭（１番目）の読み仮名が選択され、カーソル３０２が先頭の「あ」にフォーカスされた例を示す。
【００３０】
検索する文字が決定すると、ユーザはエンターキー３０４を押下して検索文字（ここでは先頭の文字）を決定する（Ｓ４０６）。なお、このときエンターキー３０４ではなく、ユーザが検索キー３０５を押下したときは検索モードを終了する（Ｓ４０８）。
【００３１】
ステップＳ４０６においてエンターキー３０４を押下したときは、項目検索処理サブルーチンを実行する（Ｓ４０７）。図７に、項目検索処理のサブルーチンのフローチャートを示す。以下、図７のフローチャートに沿って項目検索処理について説明する。
【００３２】
ユーザは十字キー３０３を操作して項目検索処理を開始する（Ｓ７０１）。項目検索処理では、まず未比較の項目があるか否かを判断する（Ｓ７０２）。カーソル３０２でフォーカスされた位置に文字があるときは、項目検索処理を継続する。未比較の項目がなかったときは何も処理せず、ステップＳ７１１に移る。
【００３３】
十字キー３０３の操作が行われると、次に、入力信号を昇順あるいは降順のいずれで行うかを判断し（Ｓ７０３）、カーソル３０２でフォーカスされた文字について昇順あるいは降順に従い、五十音順でソートされたリストの１つ後（Ｓ７０４）もしくは１つ前の項目を取得する（Ｓ７０５）。
【００３４】
次に、取得した項目について、昇順あるいは降順に従って文字列長の比較処理を行う（Ｓ７０６またはＳ７０７）。昇順のとき、１つ後の項目の文字列長が現在ディスプレイデバイス３０１に表示している項目の文字列より短いときは、ディスプレイデバイス３０１に表示する読みを１つ後の項目で更新する（Ｓ７１０）。
【００３５】
一方、降順のとき、１つ前の項目の文字列長が現在ディスプレイデバイス３０１に表示している項目の文字列より長いときは、ディスプレイデバイス３０１に表示する読みを１つ前の項目で更新する（Ｓ７１０）。
【００３６】
昇順あるいは降順での文字列長の比較において、ステップＳ７０６あるいはＳ７０７の比較処理を満たさなかったときは、カーソル３０２位置の前までの文字列を比較する（Ｓ７０８）。カーソル３０２位置の前までの文字列（先頭からカーソル位置の左隣の行までの文字列）と等しくなかったときは、ディスプレイデバイス３０１に表示する読みを取得した項目で更新する（Ｓ７１０）。
【００３７】
ステップＳ７０８において、カーソル３０２位置の前までの文字列が等しかったときは、カーソル３０２位置の文字を比較する（Ｓ７０９）。カーソル３０２位置の文字が異なるときは、ディスプレイデバイス３０１に表示する読みを取得した項目で更新する（Ｓ７１０）。一方、カーソル３０２位置の文字が等しかったときはＳ７０１より後の処理に戻り、ステップＳ７０２からＳ７０９の処理を繰り返す。
【００３８】
エンターキー３０４をもう一度押すと項目検索処理サブルーチンを終了し（Ｓ７１１）、図４のステップＳ４０５に戻ってフォーカス文字の変更が可能となる。この状態での十字キー３０３の操作は、カーソル３０２の位置の移動として処理され、制御部１０２はディスプレイデバイス３０１上のカーソル３０２の位置を更新する。
【００３９】
ユーザは、カーソル３０２の移動によって検索する文字を変更し（Ｓ４０５）、ステップＳ４０７の項目検索処理を繰り返す。
【００４０】
図４および図７のフローチャートに記載された項目検索方法について、図２のリストのタイトル「大きな古時計」を検索する場合を例として説明する。
【００４１】
最初に、図６（Ａ）の上段に示すようにディスプレイデバイス３０１にタイトルの読み仮名「ああじんせいになみだあり」が表示され、カーソル３０２が先頭の「あ」にフォーカスされている。この状態で十字キー３０３の右キーまたは下キーを押すと、制御部１０２は、フォーカスされた先頭の文字について、五十音順でソートされたリストから１つ後の項目、すなわち五十音順で次の仮名を含む項目を取得し、図６（Ａ）の下段に示すように、表示が「おおいおっかけおとじろう」に変わる。
【００４２】
検索の対象であるタイトル「おおきなふるどけい」は「おおいおっかけおとじろう」と先頭から２番目までの読み仮名が同じであるため、エンターキー３０４を押して項目検索を一端解除し、十字キー３０３を操作してカーソル３０２を右側に移動し、図６（Ｂ）の上段に示すように、３番目の読み仮名「い」にフォーカスさせる。
【００４３】
この状態で再度エンターキー３０４を押して項目検索を再開し、十字キー３０３の右キーまたは下キーを押して、五十音順でソートされたリストから１つ後の項目を取得し、図６（Ｂ）の下段に示すように、表示が「おおきなふるどけい」に変わる。
【００４４】
以上、具体例に基づいて説明したが、ユーザは、楽曲のタイトルを検索するとき、まずカーソルを読み仮名の先頭の文字にフォーカスさせ、この状態で十字キー３０３を押してリストを五十音順の昇順あるいは降順に検索し、探しているタイトルの読み仮名と先頭が同じ読み仮名のタイトルを選択する。次に、エンターキー３０４を押し項目検索を中断してカーソルを右に移動し、先頭から２番目の文字にフォーカスさせた状態で十字キー３０３を押して先頭の文字と同様の検索を行い、探しているタイトルの読み仮名と２番目が同じ読み仮名のタイトルを選択する。フォーカスする位置を右に移動させながら、この動作を繰り返すことにより、所望の楽曲のタイトルを検索する。
【００４５】
図４のフローチャートに戻り、リストの検索を終えて検索キー３０５を押下すると、検索モードを示す「Search」表示とカーソル３０２がディスプレイデバイス３０１から消える（Ｓ４０８）。また、図８に示すように、検索モードで表示されていたリストの読み仮名（上段）の代わりに対応するタイトル（下段）が表示される。
【００４６】
なお、検索モードの終了は、一定時間の間、制御部１０２が十字キー３０３やエンターキー３０４の信号を認識しなかったときに行ってもよい。また、検索モードにおいて、一定時間操作がなかったときは対応するタイトルを表示し、操作があった後に項目検索処理を継続してもよい。また、上記説明では、項目の検索中ディスプレイデバイス３０１にタイトルの読み仮名を表示したが、読み仮名と項目を一定時間経過毎に交互に表示するようにしてもよいし、ユーザがエンターキー３０４を押下することにより、タイトルの読み仮名と項目を交互に表示するようにしてもよい。
【００４７】
以上の処理を行うことにより、リスト中、先頭からカーソル３０２でフォーカスされた位置の前までの読み仮名が同じである項目を飛び越して検索を行うことになるため、従来のリストのスクロール検索より早く、また直感的に検索することが可能となる。
【００４８】
なお、カーソル３０２の位置はＳ７１０で項目更新を行ったとき、図９に示すように文字列長が異なっていても変更はされない。これにより、例えばユーザが昇順連続操作中に行き過ぎに気付き、降順に操作を切り替えても、同一カーソル位置での検索が行われることで、昇順で辿った順番と同一の順番で降順処理を行うことができる。
【００４９】
（実施の形態２）
実施の形態１の項目検索方法では、タイトルの読み仮名を五十音順に検索したが、本実施の形態では、読み仮名を「あ行」、「か行」などのグループに区分けし、十字キー３０３の右キーを文字単位での昇順、左キーを文字単位での降順、下キーをグループ単位での昇順、上キーをグループ単位での降順として検索を行う。
【００５０】
図１０（Ａ）、（Ｂ）に本実施の形態の表示例を示す。カーソル３０２の位置が同じであっても、文字単位あるいはグループ単位での操作をすることで、ディスプレイデバイス３０１に表示される項目が異なる。図１０（Ａ）では実施の形態１と同様、十字キー３０３の右キーを押すことによって文字単位での昇順が選択され、カーソル３０２がフォーカスされた読み仮名の３番目をリストから五十音順に検索して、ディスプレイデバイス３０１の表示が「ああじんせいになみだあり」（上段）から「ああせいしゅんのひび」（下段）に変わる。
【００５１】
一方、図１０（Ｂ）では、十字キー３０３の下キーを押すことによってグループ単位での昇順が選択され、ディスプレイデバイス３０１の表示が「ああじんせいになみだあり」（上段）から「ああむじょう」（下段）に変わる。
【００５２】
図１１および図１２に、本実施の形態における項目検索処理Ｓ４０７のサブルーチンのフローチャートを示す。以下、図１１および図１２のフローチャートに沿って項目検索処理について説明する。
【００５３】
図１１において、Ｓ７０１からＳ７１１のステップは図７のステップと同じであり、本実施の形態では、ステップＳ７０１からＳ７０２の間にグループでの検索か否かを判断するステップＳ１１０１が追加されている。
【００５４】
図１１において、グループでの検索ではないときは（Ｓ１１０１でＹＥＳ）、図５の文字単位の検索フローを処理する。一方、グループでの検索のときは（Ｓ１１０１でＮｏ）、図１２に示すグループ単位での検索フローを処理する。
【００５５】
図１２のフローについて説明すると、まず、リスト中に未比較の項目があるか判断する（Ｓ１２０１）。未比較の項目があったとき、グループ単位での検索フローを継続する。未比較の項目がなかったとき、表示を更新せずにステップＳ７１１に移る。
【００５６】
グループ単位での検索においては、まず、昇順あるいは降順での検索か否かを判断する（Ｓ１２０２）。昇順のときは、リストから１つ後の項目を取得する（Ｓ１２０３）。  一方、降順のときは、リストから１つ前の項目を取得する（Ｓ１２０４）。
【００５７】
次に、取得した項目のうちカーソル３０２でフォーカスされた文字を比較し、異なるグループに属する文字かを判断する（Ｓ１２０５）。異なるグループに属する文字であったときは、ディスプレイデバイス３０１に表示する読み仮名を、取得した項目で更新する（図１１のＳ７１０）。一方、同一のグループに属する文字であったときは、ステップＳ１２０１に戻る。
【００５８】
以上説明したように、本実施の形態では、リストの項目を検索する際に、十字キー３０３の押す位置によって文字単位の検索とグループ単位の検索を選択できるため、検索にかかる時間をより短縮することができる。
【００５９】
なお、上記実施の形態１、２では、本発明の項目検索方法を楽曲の検索に適用した場合について説明したが、本発明はこれに限定されるものではなく、他の多くの項目の検索に適用できることは云うまでもない。
【産業上の利用可能性】
【００６０】
本発明の項目検索方法によれば、多数の項目が含まれるリストから所望の項目を短時間に検索できるため、音楽データが多数記憶された記憶装置から所望の曲を再生するオーディオ装置等に用いて有用である。
【図面の簡単な説明】
【００６１】
【図１】本発明の実施の形態１における項目検索装置の構成を示すブロック図
【図２】実施の形態１において制御部で作成したリストの一例を示す図
【図３】実施の形態１において項目検索装置の入力装置と表示装置の外観を示す平面図
【図４】実施の形態１における項目検索方法のフローチャート
【図５】実施の形態１における検索対象候補の表示例を示す図
【図６】実施の形態１において表示装置に表示される項目検索の結果を示す図
【図７】図４の項目検査処理のサブルーチンのフローチャート
【図８】実施の形態１における検索モードと検索モード終了時の表示例を示す図
【図９】実施の形態１において表示装置に表示される項目検索の結果を示す図
【図１０】本発明の実施の形態２において表示装置に表示される項目検索の結果を示す図
【図１１】実施の形態２におけるグループごとの検索時のフローチャート（その１）
【図１２】実施の形態２におけるグループごとの検索時のフローチャート（その２）
【符号の説明】
【００６２】
１０１  記憶装置
１０２  制御部
１０３  表示装置
１０４  入力装置
３０１  ディスプレイデバイス
３０２  カーソル
３０３  十字キー
３０４  エンターキー
３０５  検索キー
【図１】
2007250083.tif 000003
【図２】
2007250083.tif 000004
【図３】
2007250083.tif 000005
【図４】
2007250083.tif 000006
【図５】
2007250083.tif 000007
【図６】
2007250083.tif 000008
【図７】
2007250083.tif 000009
【図８】
2007250083.tif 000010
【図９】
2007250083.tif 000011
【図１０】
2007250083.tif 000012
【図１１】
2007250083.tif 000013
【図１２】
2007250083.tif 000014